(57)【要約】【課題】本発明は除湿装置に関するものであり、送風音を抑制することを目的とするものである。【解決手段】上方に開口する第１の送風口２ａを有する本体ケース３と、この本体ケース３内に設けた除湿手段と、前記第１の送風口の上方を、所定間隔をおいて覆った可動自在のルーバを備え、このルーバ２１を可動させる可動手段２７を設け、前記第１の送風口の下部に風向手段を設け、前記ルーバの送風前端側の前記本体ケース側面に第２の送風口２ｂを備え、この第２の送風口２ｂは前記第１の送風口２ａに隣接するものであり、これにより、第２の送風口２ｂにより、第１の送風口２ａから吹出す風量が減少するので、ルーバ２１先端部に当たる空気を減らすことが出来るものである。【選択図】図１
2010162431.tif 000002
【特許請求の範囲】
【請求項１】
上方に開口する第１の送風口を有する本体ケースと、この本体ケース内に設けた除湿手段と、前記第１の送風口の上方を、所定間隔をおいて可動自在のルーバを備え、このルーバを可動させる可動手段を設け、前記第１の送風口の下部に風向手段を設け、前記ルーバの送風前端側の前記本体ケース側面に第２の送風口を備え、この第２の送風口は前記第１の送風口に隣接する除湿装置。
【請求項２】
ルーバの送風前端部は、前記第２の送風口の真上に設けた請求項１に記載の除湿装置。
【請求項３】
風向手段は前記第１の送風口および前記第２の送風口に対向した位置に設けた請求項１または２のいずれか一つに記載の除湿装置。
【請求項４】
風向手段は前記第１の送風口の前記ルーバの送風前端側に設けた請求項１から３のいずれか一つに記載の除湿装置。
【請求項５】
風向手段は水平に回転自在に設けられた軸部と、この軸部に固定された複数の略円板状の風向板と、前記軸部を回動させる回動手段から形成し、前記風向板は前記軸部の略中央部を境に略ハの字形状に傾斜した請求項１から４のいずれか一つに記載の除湿装置。
【請求項６】
ルーバには、補助ルーバを可動自在に装着し、この補助ルーバは、ルーバの送風先端側に可動自在に装着し、前記風向板の真上に位置する請求項１から５のいずれか一つに記載の除湿装置。
【請求項７】
可動手段と前記ルーバとの連結部は、前記第１の送風口の側端部に設けた請求項１から６のいずれか一つに記載の除湿装置。
【請求項８】
連結部は、複数の歯車により形成された請求項１から７のいずれか一つに記載の除湿装置。
【発明の詳細な説明】
【技術分野】
【０００１】
本発明は、例えば衣類乾燥用として用いられる除湿装置に関するものである。
【背景技術】
【０００２】
本体ケース内に除湿手段を設けた除湿装置は、除湿能力が高いことから、衣類の乾燥用として積極的に活用されている。
【０００３】
すなわち、室内空気を前記除湿手段で乾燥空気とし、この乾燥空気を洗濯後の衣類に向けて送風することにより、乾燥の効率化を図ろうとするもので、特に雨振り時や、冬の低温時のように洗濯物が乾きにくい時には、非常に重宝されるものである。（なお、これに関連する先行文献としては下記特許文献１がある）。
【特許文献１】特開２００６−１０２５７８号公報
【発明の開示】
【発明が解決しようとする課題】
【０００４】
上記従来例における課題は、送風音が大きいということであった。
【０００５】
すなわち、除湿装置は、上方向に開口した送風口より乾燥した空気を吹出し、その空気を送風口の上方に位置するルーバが仰角方向に回動することによって、吹出し方向を変化させている。特に水平方向へ吹出す場合には、送風口より垂直上方向に吹出す空気を、ルーバによってほぼ９０度吹出し方向を変化させる為、ルーバ先端部での風切り音の発生が大きくなっていた。
【０００６】
そこで、送風口とこの送風口の上方に位置するルーバとの距離を大きくし、送風口とルーバとの間の側面部の開口を大きくすることにより、ルーバ先端部に当たる空気を減らし、送風音を抑制していた。
【０００７】
しかし、送風口とこの送風口の上方に位置するルーバとの距離を大きくするので、本体の高さが高くなっていた。
【０００８】
そこで本発明は、本体の高さを高くせず、送風音を抑制することを目的とするものである。
【課題を解決するための手段】
【０００９】
そして、この目的を達成するために本発明は、上方に開口する第１の送風口を有する本体ケースと、この本体ケース内に設けた除湿手段と、前記第１の送風口の上方を、所定間隔をおいて可動自在のルーバを備え、このルーバを可動させる可動手段を設け、前記第１の送風口の下部に風向手段を設け、前記ルーバの送風前端側の前記本体ケース側面に第２の送風口を備え、この第２の送風口は前記第１の送風口に隣接するものであり、これにより初期の目的を達成するものである。
【発明の効果】
【００１０】
以上のように本発明は、上方に開口する第１の送風口を有する本体ケースと、この本体ケース内に設けた除湿手段と、前記第１の送風口の上方を、所定間隔をおいて可動自在のルーバを備え、このルーバを可動させる可動手段を設け、前記第１の送風口の下部に風向手段を設け、前記ルーバの送風前端側の前記本体ケース側面に第２の送風口を備え、この第２の送風口は前記第１の送風口に隣接するものである。
【００１１】
すなわち、上方に開口する第１の送風口と、この第１の送風口に隣接し、ルーバの送風前端側の本体ケース側面に第２の送風口を設けている。これにより、水平方向へ吹出す場合には、第１の送風口から上方に吹出した空気は、ルーバに当たり向きを変え、第１の送風口とルーバとの間から水平方向に吹出すと共に、この第１の送風口とルーバとの間から水平方向に吹出す空気に誘引され、第２の送風口から吹出す空気は水平方向に流れることになる。つまり、第２の送風口により、第１の送風口から吹出す風量が減少するので、ルーバ先端部に当たる空気を減らすことが出来るものである。
【００１２】
これらの結果により、本体の高さを高くせず、送風音を抑制することが出来る。
【発明を実施するための最良の形態】
【００１３】
以下、本実施形態を添付図面を用いて説明する。
【００１４】
（実施の形態１）
図１〜図１２に示すように、本実施形態の除湿装置は、吸気口１と送風口２を有する本体ケース３と、この本体ケース３内に設けられたヒートポンプ４とを備えている。このヒートポンプ４は、圧縮機５と、放熱器６、膨張手段７、吸熱器８とにより形成している。第１の送風手段９ａによって、吸気口１から本体ケース３内に吸気した空気を放熱器６、吸熱器８を順次介して送風口２へと送風され、また、第２の送風手段９ｂによって、吸気口１から本体ケース３内に吸気した空気を放熱器６を介して送風口２へと送風される。このように、第１の送風手段９ａと第２の送風手段９ｂとによって送風口２へと送風された空気は、その送風口２で混ざり合い室内へ排気される。
【００１５】
第１の送風手段９ａの風路であって放熱器６と吸熱器８との間には、回動自在に除湿ローター１０を設けており、この除湿ローター１０は放湿部１１と吸湿部１２とを備えている。
【００１６】
放湿部１１は放熱器６と吸熱器８との間の風路に、吸湿部１２は吸熱器８と送風口２との間の風路に設けられており、放熱器６と放湿部１１の間には加熱手段であるヒーター１３を設けた構成としている。
【００１７】
すなわち、以上の構成である除湿手段において、第１の送風手段９ａにより吸気口１から本体ケース３内に吸気した空気は、放熱器６で加熱された後にヒーター１３で更に加熱され、高温で相対湿度の低い空気となり、除湿ローター１０の放湿部１１へ送風される。更に、この放湿部１１に送風された空気は、放湿部１１の湿気を取り込み湿度の高い状態となって吸熱器８へ送られる。この吸熱器８で結露させて除湿し、吸湿部１２に達する。そこで、乾燥状態となった除湿ローター１０の放湿部１１が駆動手段１４によって回転し、吸湿部１２となり、この吸湿部１２で吸熱器８で除湿されなかった湿度を吸湿し除湿する。
【００１８】
第１の送風手段９ａと第２の送風手段９ｂとはケーシング１５内に配設された１つの電動機１６と、この電動機１６の回転軸に固定された１つの羽根１７とにより形成されている。すなわち、羽根１７は主板１８の両側に第１の送風手段９ａにあたる第１の羽根部１７ａと、第２の送風手段９ｂにあたる第２の羽根部１７ｂとを備えている。ケーシング１５の吐出口１９は上方向に開口し、第１の羽根部１７ａにより送風される第１の吐出口１９ａと、第２の羽根部１７ｂにより送風される第２の吐出口１９ｂとが隣接し、１つの開口として形成している。この吐出口１９より、吹出された空気が、送風口２より室内に供給される。
【００１９】
本実施形態における特徴点は、送風口２の構造である。具体的には、ケーシング１５の吐出口１９の上方に風向手段２０と送風口２とを備えている。この送風口２は、第１の送風口２ａと第２の送風口２ｂとから形成され、第１の送風口２ａは本体ケース３の天面に略横長形状で垂直上方向に開口し、第２の送風口２ｂは本体ケース背面に略横長形状で水平方向に開口している。更に、これら第１の送風口２ａと第２の送風口２ｂとは隣接しており、垂直断面形状は略Ｌ字型となっている。この送風口２の上方に所定間隔をおいてルーバ２１が回動自在に設けられている。このルーバ２１は、略横長平板形状で本体ケース３前面側の両側端部に回動軸部２２を備えている。この回動軸部２２を中心にルーバ２１は仰角方向に回動する。
【００２０】
すなわち、上方に開口する第１の送風口２ａと、この第１の送風口２ａに隣接し、ルーバ２１の送風前端２３側の本体ケース３側面に第２の送風口２ｂを設けている。これにより、水平方向へ吹出す場合には、第１の送風口２ａから上方に吹出した空気は、ルーバ２１に当たり向きを変え、第１の送風口２ａとルーバ２１との間から水平方向に吹出すと共に、この第１の送風口２ａとルーバ２１との間から水平方向に吹出す空気に誘引され、第２の送風口２ｂから吹出す空気は水平方向に流れることになる。つまり、第２の送風口２ｂにより、第１の送風口２ａから吹出す風量が減少するので、ルーバ２１先端部に当たる空気を減らすことが出来るものである。
【００２１】
すなわち、上方に開口する第１の送風口２ａと、この第１の送風口２ａに隣接し、ルーバ２１の送風前端２３側の本体ケース３側面に第２の送風口２ｂを設けている。これにより、水平方向へ吹出す場合には、送風口２とルーバ２１との間の側面部の開口が第２の送風口２ｂにより大きくなり、ルーバ２１先端部に当たる風量を減らすことができる。
【００２２】
これらの結果により、本体の高さを高くせず、送風音を抑制することが出来る。
【００２３】
また、ルーバ２１の送風前端２３部は、第２の送風口２ｂの真上に設けたものである。具体的には、このルーバ２１は、略横長平板形状で本体ケース３前面側であるルーバ２１の送風後端２４部の両側端部に回動軸部２２を備えている。この回動軸部２２を中心にルーバ２１は水平位置から仰角方向に回動するものであるが、このルーバ２１が水平位置の場合には、ルーバ２１の送風前端２３部と第２の送風口２ｂとが平面視で同一線上に位置するものである。
【００２４】
これにより、ケーシング１５の吐出口１９から吹出された空気は、第１の送風口２ａおよび第２の送風口２ｂから吹出されるが、第２の送風口２ｂから吹出された空気は、ルーバ２１の送風前端２３部より外側に流れるので、ルーバ２１先端部に当たる風量を減らすことができる。
【００２５】
また、風向手段２０は第１の送風口２ａおよび第２の送風口２ｂに対向した位置に設けたものである。すなわち、ケーシング１５の吐出口１９から吹出された空気は、風向手段２０によって風向が本体の中心方向の一点に集まる方向、または、本体に両側面方向に広がる方向へ変化した場合に、風向手段２０から第１の送風口２ａへ送風されると共に、一部の空気は風向手段２０から第２の送風口２ｂに送風され、この第２の送風口２ｂから本体ケース３の背面側方向に広がりながら上方向に流れるので、結果として、第２の送風口２ｂから吹出される空気の水平断面での面積は、第１の送風口２ａの開口面積よりも大きくなり、結果として、特に本体ケース３の背面側であるルーバ２１の送風前端２３部の風速が遅くなり、ルーバ２１先端部に当たる風量を減らすことができる。
【００２６】
また、風向手段２０は第１の送風口２ａのルーバ２１の送風前端２３側に設けたものである。これにより、風向手段２０が第２の送風口２ｂに近づくので、ケーシング１５の吐出口１９から吹出された空気は、風向手段２０によって風向が本体の中心方向の一点に集まる方向、または、本体に両側面方向に広がる方向へ変化した場合に、風向手段２０から第１の送風口２ａへ送風されると共に、一部の空気は風向手段２０から第２の送風口２ｂに送風され、この第２の送風口２ｂから本体ケース３の背面側方向に広がりながら上方向に流れるので、結果として、第２の送風口２ｂから吹出される空気の水平断面での面積は、第１の送風口２ａの開口面積よりも大きくなり、結果として、特に本体ケース３の背面側であるルーバ２１の送風前端２３部の風速が遅くなり、ルーバ２１先端部に当たる風量を更に減らすことができる。
【００２７】
また、風向手段２０は水平に回転自在に設けられた軸部２５と、この軸部２５に固定された複数の略円板状の風向板２６と、軸部２５を回動させる回動手段２７とから形成し、風向板２６は軸部２５の略中央部を境に略ハの字形状に傾斜したものである。
【００２８】
具体的には、風向手段２０は軸部２５と、この軸部２５に固定された風向板２６と、軸部２５を回転する回動手段２７とから形成し、軸部２５は略円柱形状で、送風口２の長手方向と同じ方向で水平に回動自在に設置されている。風向板２６は、略円板形状で略中心部が軸部２５と固定されている。同じように複数の風向板２６が隣合った風向板２６と所定の距離を有し固定され、軸部２５の略中央部を境に略ハの字形状に傾斜している。回動手段２７である電動機は軸部２５の端部と連結している。
【００２９】
すなわち、回動手段２７である電動機によって、軸部２５を介して風向板２６が回動する。風向板２６が水平視略ハの字形状の場合は、ケーシング１５の吐出口１９から上方向に吹出された空気は、風向手段２０である風向板２６に当たり、そこで、本体の中心方向の一点に集まる方向に風向が変化すると共に、一部の空気が第２の送風口２ｂへ流れるものである。また、風向板２６が水平視略逆ハの字形状の場合は、ケーシング１５の吐出口１９から上方向に吹出された空気は、風向手段２０である風向板２６に当たり、そこで、本体の両側面方向まで広がる方向に風向が変化すると共に、一部の空気が第２の送風口２ｂへ流れるものである。
【００３０】
これにより、ケーシング１５の吐出口１９から吹出された空気は、風向手段２０によって風向が本体の中心方向の一点に集まる方向、または、本体に両側面方向に広がる方向へ変化した場合に、風向手段２０から第１の送風口２ａへ送風されると共に、一部の空気は風向手段から第２の送風口２ｂに送風され、この第２の送風口２ｂから本体ケースの背面側方向に広がりながら上方向に流れるので、結果として、第１の送風口２ａおよび第２の送風口２ｂから吹出される空気の水平断面での面積は、第１の送風口２ａの開口面積よりも大きくなり、特に本体ケース３の背面側であるルーバ２１の送風前端２３部の風速が遅くなり、ルーバ２１先端部に当たる風量を更に減らすことができる。
【００３１】
また、ルーバ２１には、補助ルーバ２８を可動自在に装着し、この補助ルーバ２８は、ルーバ２１の送風先端側に可動自在に装着し、風向板２６の真上に位置するものである。ルーバ２１の送風先端側は図９のごとく下方への湾曲状態とし、この湾曲面の一部を補助ルーバ２８で構成している。この、補助ルーバ２８は、ルーバ２１の送風先端側に可動自在に装着されている。
【００３２】
具体的には、ルーバ２１の送風先端部の両側に、送風先端方向に伸びる補助ルーバ支持部２９を設け、これら両側の補助ルーバ支持部２９には貫通孔３０を設け、左右の貫通孔３０に、補助ルーバ２８の両側の支軸３１を貫通させている。
【００３３】
そして、これによりこれら両側の補助ルーバ支持部２９間に、補助ルーバ２８を回動自在に軸支させているのである。
【００３４】
さらに、ルーバ２１の補助ルーバ支持部２９には、補助ルーバ２８の可動規制手段３２を設けている。具体的には、この可動規制手段３２は、ルーバ２１と、補助ルーバ２８の一方に設けた突起３３と、この突起３３と嵌合する孔３４（図１０の補助ルーバ支持部２９）とにより構成しており、しかもこの可動規制手段３２は、所定角度ごとに複数設けているので、補助ルーバ２８を回動させ、その状態で保持できるようにしている。
【００３５】
なお、補助ルーバ２８は可撓性材料にて形成しているので、長手方向の撓みを利用し、上記両側の補助ルーバ支持部２９の貫通孔３０に、補助ルーバ２８の両側の支軸３１を貫通させ、さらに補助ルーバ２８を回動させ、その状態でルーバ２１と、補助ルーバ２８の一方に設けた突起３３と、この突起３３と嵌合する孔３４（図１０の補助ルーバ支持部２９）とを嵌合させ、可動規制を行うのも、手動で簡単に行うことができる。
【００３６】
ここで、補助ルーバ２８を回動させることにより開口する補助ルーバ２８開口部が風向板２６の真上に位置するものである。これにより、風向手段２０である風向板２６に当たり、第１の送風口２ａを介して上方へ送風される空気は主に、補助ルーバ２８開口部を通過し、補助ルーバ２８によって風向が変化するので、補助ルーバ２８開口部の縁で発生する風切り音を抑制することができる。
【００３７】
また、可動手段３５とルーバ２１との連結部は、第１の送風口２ａの側端部に設けたものである。具体的には、連結部は、複数の歯車により形成されたものである。すなわち、ルーバ２１は、本体ケース３の左右方向であるルーバ２１の長手方向の両側端面に、両外側方向に延びた円柱形状の回転軸部２２を備え、この回転軸部２２の一方に本体ケース３の支持部である孔を介して、扇形歯車部３６と連結している。また、可動手段３５である電動機は、電動機の回転軸に円形歯車部３７が連結している。これらの円形歯車部３７と扇形歯車部３６とが噛み合って装着されている。このような構成で、可動手段３５である電動機が回転軸を回転させることにより円形歯車部３７を回転させ、この円形歯車部３７と噛み合っている扇形歯車部３６へ回転動力が伝わり、この扇形歯車部３６が回動することによりルーバ２１の回転軸部２２を介してルーバ２１が回動するものである。結果として、この連結部である円形歯車部３７と扇形歯車部３６とが第１の送風口２ａの側端部に位置しているので、連結部が第１の送風口２ａに位置せず、ケーシング１５の吐出口１９から吹出された空気が連結部に当たらないので、送風音を低減できる。
【産業上の利用可能性】
【００３８】
本発明は、上方に開口する第１の送風口を有する本体ケースと、この本体ケース内に設けた除湿手段と、前記送風口の上方を、所定間隔をおいて覆った可動自在のルーバを備え、このルーバを可動させる可動手段を設け、前記送風口の下部に風向手段を設け、前記ルーバの送風前端側の前記本体ケース側面に第２の送風口を備え、この第２の送風口は前記第１の送風口に隣接するものであり、すなわち、上方に開口する第１の送風口と、この第１の送風口に隣接し、ルーバの送風前端側の本体ケース側面に第２の送風口を設けている。これにより、水平方向へ吹出す場合には、第１の送風口から上方に吹出した空気は、ルーバに当たり向きを変え、第１の送風口とルーバとの間から水平方向に吹出すと共に、この第１の送風口とルーバとの間から水平方向に吹出す空気に誘引され、第２の送風口から吹出す空気は水平方向に流れることになる。つまり、第２の送風口により、第１の送風口から吹出す風量が減少するので、ルーバ先端部に当たる空気を減らすことが出来るものである。
【００３９】
これらの結果により、本体の高さを高くせず、送風音を抑制することが出来る。
【００４０】
したがって、各種除湿装置などに広く活用されるものとなる。
【図面の簡単な説明】
【００４１】
【図１】本発明の実施の形態の除湿装置の概略断面図
【図２】本発明の実施の形態の本体斜視図
【図３】本発明の実施の形態の本体構成を示す分解斜視図
【図４】本発明の実施の形態の除湿ローター部分の分解斜視図
【図５】本発明の実施の形態の送風ファン部分の分解斜視図
【図６】本発明の実施の形態のルーバ部分の分解斜視図
【図７】本発明の実施の形態のルーバ部分の動作を説明する斜視図
【図８】本発明の実施の形態の風向手段部分の斜視図
【図９】本発明の実施の形態の補助ルーバ部分の分解斜視図
【図１０】本発明の実施の形態の補助ルーバの連結部を説明する斜視図
【図１１】本発明の実施の形態の補助ルーバの動作を説明する斜視図
【図１２】本発明の実施の形態のルーバ連結部分の斜視図
【符号の説明】
【００４２】
２ａ  第１の送風口
２ｂ  第２の送風口
３    本体ケース
２０  風向手段
２１  ルーバ
２３  送風前端
２５  軸部
２６  風向板
２７  回動手段
２８  補助ルーバ
３５  可動手段
３６  扇形歯車部
３７  円形歯車部
【図１】
2010162431.tif 000003
【図２】
2010162431.tif 000004
【図３】
2010162431.tif 000005
【図４】
2010162431.tif 000006
【図５】
2010162431.tif 000007
【図６】
2010162431.tif 000008
【図７】
2010162431.tif 000009
【図８】
2010162431.tif 000010
【図９】
2010162431.tif 000011
【図１０】
2010162431.tif 000012
【図１１】
2010162431.tif 000013
【図１２】
2010162431.tif 000014